(57)【要約】【課題】　使用済みの金属製品の有効活用を図るべくリサイクル処理を促進するようにした使用済み金属製品のリサイクル仲介システムの排出事業者クライアント装置を提供する。【解決手段】　通信ネットワーク１５を介して仲介者のインターネットサーバ１０により複数の排出事業者１１から使用済み金属製品情報を受け付け、複数のリサイクル処理業者１２から買取申込を受け付け、入札により落札させる使用済み金属製品のリサイクル仲介システムの排出事業者クライアント装置であって、排出事業者は、使用済み金属製品情報をインターネットサーバに申し込み、落札結果の通知を受け、インターネットサーバは、前記情報を地域エリア毎にサイト上で公開し、リサイクル処理業者は、公開された前記情報を閲覧して買取申込をし、インターネットサーバは、入札を行って落札業者を決定して入札結果を通知すると共に排出事業者に落札結果を通知する構成としたものである。【選択図】　　　図２
2004139610.tif 000002
【特許請求の範囲】
【請求項１】
　通信ネットワークを介して、仲介者のインターネットサーバにより、複数の、排出事業者から使用済み金属製品情報を受け付け、複数の、リサイクル処理業者の第２のクライアントから買取申込を受け付け、入札により落札させる使用済み金属製品のリサイクル仲介システムの排出事業者クライアント装置であって、
　使用済み金属製品の発生場所、発生量、希望販売価格を含む前記使用済み金属製品情報をインターネットサーバに送信して申し込む排出事業者クライアント送信手段と、
　仲介者インターネットサーバから落札したリサイクル処理業者名を含む落札結果の通知を受ける排出事業者クライアント受信手段とを備え、
　前記インターネットサーバは、
　前記受信した使用済み金属製品情報の発生場所に基づいて各地域エリアに分けた前記発生量と希望販売価格をそれぞれ積算して発生蓄積量と販売価格合計値を演算し、
　地域エリア毎に、前記使用済み金属製品情報、発生蓄積量及び販売価格合計値をサイト上で公開し、
　前記各第２のクライアントは、
　前記インターネットサーバのサイト上に公開された前記使用済み金属製品情報、発生蓄積量及び販売価格合計値を閲覧して希望買取価格を含む買取申込をインターネットサーバに送信し、
　前記インターネットサーバは、更に、
　前記各第２のクライアントからの買取申込を受信し、地域エリア毎に、前記販売価格合計値以上での買取申込があった場合、一定期間経過後に入札を行って落札業者を決定し、
　前記各第２のクライアントに当該地域エリアの入札結果を通知すると共に前記排出事業者クライアント受信手段に前記落札結果を通知することを特徴とする、使用済み金属製品のリサイクル仲介システムの排出事業者クライアント装置。
【発明の詳細な説明】
【技術分野】
【０００１】
　本発明は、使用済みの金属製品のリサイクル処理を促進して資源の有効活用を図るようにした使用済み金属製品のリサイクル仲介システムの排出事業者クライアント装置に関する。
【背景技術】
【０００２】
　近年、国レベルで環境問題への取組が行われてきており、各種の使用済み製品をいかにしてリサイクルし、限りある資源の有効活用を図るかについては大きな課題の一つとなっている。特に、金属は、殆どの製品に使用されており、しかも、再利用が容易であり、リサイクルは重要である。
　従来、事業者により使用済み金属製品が排出された場合、事業者がリサイクル処理業者に直接問い合わせて、排出した使用済み金属製品を買い取ってもらえるか否かについて交渉を行っている。この場合において、リサイクル処理業者が使用済み金属製品を買い取るか否かについては、その発生場所と発生量とが大きく関係している。すなわち、リサイクル処理業者は、使用済み金属製品の発生場所から自己の処理工場までの運搬費用、および使用済み金属製品の発生量に基づく処理費用等を勘案し、採算が取れるかどうかにより買い取るか否かについて判断することになる。
【０００３】
　このため使用済み金属製品の発生場所が遠距離にある場合や発生量が少ない場合には、リサイクル処理業者は、買い取ってリサイクル処理をしたとしても採算が取れないことから買取りを拒否するケースが多く見受けられており、このような場合使用済み金属製品は、リサイクル処理されずに産業廃棄物として処理されている。なお、事業者は、使用済み金属製品を産業廃棄物として廃棄物処分業者に処理してもらう場合には、費用が発生する。
【発明の開示】
【発明が解決しようとする課題】
【０００４】
　しかしながら、リサイクル処理業者の採算性によって、使用済み金属製品がリサイクル処理されるか産業廃棄物として処理されるかを左右されることは、資源の有効活用を図る上で好ましいものではない。
　本発明は、上述の点に鑑みてなされたもので、使用済みの金属製品の有効活用を図るべくリサイクル処理を促進するようにした使用済み金属製品のリサイクル仲介システムの排出事業者クライアント装置を提供することを目的とする。
【課題を解決するための手段】
【０００５】
　本発明の使用済み金属製品のリサイクル仲介システムの排出事業者クライアント装置は、通信ネットワークを介して、仲介者のインターネットサーバにより、複数の、排出事業者から使用済み金属製品情報を受け付け、複数の、リサイクル処理業者の第２のクライアントから買取申込を受け付け、入札により落札させる使用済み金属製品のリサイクル仲介システムの排出事業者クライアント装置であって、
　使用済み金属製品の発生場所、発生量、希望販売価格を含む前記使用済み金属製品情報をインターネットサーバに送信して申し込む排出事業者クライアント送信手段と、
　仲介者インターネットサーバから落札したリサイクル処理業者名を含む落札結果の通知を受ける排出事業者クライアント受信手段とを備え、
　前記インターネットサーバは、
　前記受信した使用済み金属製品情報の発生場所に基づいて各地域エリアに分けた前記発生量と希望販売価格をそれぞれ積算して発生蓄積量と販売価格合計値を演算し、
　地域エリア毎に、前記使用済み金属製品情報、発生蓄積量及び販売価格合計値をサイト上で公開し、
　前記各第２のクライアントは、
　前記インターネットサーバのサイト上に公開された前記使用済み金属製品情報、発生蓄積量及び販売価格合計値を閲覧して希望買取価格を含む買取申込をインターネットサーバに送信し、
　前記インターネットサーバは、更に、
　前記各第２のクライアントからの買取申込を受信し、地域エリア毎に、前記販売価格合計値以上での買取申込があった場合、一定期間経過後に入札を行って落札業者を決定し、
　前記各第２のクライアントに当該地域エリアの入札結果を通知すると共に前記排出事業者クライアント受信手段に前記落札結果を通知するシステム構成としている。
【０００６】
　以上のシステム構成において、排出事業者は、発生した使用済み金属製品情報を入力するのみで、条件に合う引き取り可能な業者としてのリサイクル処理業者を見つけることができる。
　また、使用済み金属製品の発生量が、地域エリア毎にまとまればまとまるほどリサイクル処理のコスト、運搬コストが削減されることとなり、第２のクライアントは、使用済み金属製品を買い取りやすくなる。
【発明の効果】
【０００７】
　本発明によれば、使用済み鉄管の発生量が、地域エリア毎にまとまればまとまるほど、リサイクル処理のコスト、回収のための運搬コストが削減されることになり、第２のクライアントとしてのリサイクル処理業者にとって使用済み鉄管を買い取りやすくなる。また、排出事業者は、発生した使用済み鉄管情報を入力するのみで、条件に合う第２のクライアントとしてのリサイクル処理業者を見つけることができる。
【発明を実施するための最良の形態】
【０００８】
【実施例】
【０００９】
　以下本発明の実施例を図面により詳細に説明する。
　まず、本発明に係る使用済み金属製品のリサイクル仲介システムのビジネス方法を図１により説明する。本発明のビジネス方法においては、関係者として仲介者１、使用済み金属製品を排出する排出事業者２、前記使用済み金属製品をリサイクル処理するリサイクル処理業者３、前記使用済み金属製品を廃棄物として処理する廃棄物処分業者４、前記使用済み金属製品を排出事業者２からリサイクル処理業者３または廃棄物処分業者４の処理施設まで運搬する収集運搬業者５が存在し、仲介者１は、排出事業者２とリサイクル処理業者３、廃棄物処分業者４、収集運搬業者５との間の商取引を仲立ちする。そして、排出事業者２、リサイクル処理業者３、廃棄物処分業者４、および収集運搬業者５は、それぞれ複数存在している。なお、廃棄物処分業者４および収集運搬業者５については、それぞれ廃棄物処理、運搬を行うにあたって、都道府県等の許可を有していることが条件となる。
【００１０】
　排出事業者２としては、例えば、地方自治体（官公庁）や土木工事業者等で、排出される使用済み金属製品としては、例えば、使用済みガードレールや水道管の使用済み鉄管等の鉄部材がある。なお、以後本明細書においては、「使用済み金属製品」として「使用済み鉄管」を扱うことにする。
　排出事業者２は、使用済み鉄管が発生した場合、その発生場所、発生量、希望販売価格等の情報を仲介者１に申し出る。仲介者１は、排出事業者２から申し出された使用済み鉄管に関する情報を受け付け、使用済み鉄管の発生場所に基づいて排出事業者２を地域エリア毎に分け、排出された使用済み鉄管の情報を各地域エリア毎に蓄積し、この蓄積した情報を公開してリサイクル処理業者（屑鉄業者）３による買い取り要望を受け付ける。このように複数の排出事業者２から発生した使用済み鉄管に関する情報を地域エリア毎に分けることで、リサイクル処理業者３は、地域エリア毎の使用済み鉄管の発生量を知ることができるため買い取りやすくなる。
【００１１】
　リサイクル処理業者３は、この公開情報に基づいて種々の条件（発生場所から自己の処理施設までの運搬コスト、リサイクル処理コストなど）を勘案して仲介者１に買い取りを申し込む。仲介者１は、リサイクル処理業者３からの買い取りの要望を受け付け、排出事業者２の希望販売価格以上での買い取り要望があった場合、一定期間後に入札を行う。仲介者１は、入札後、リサイクル処理業者３に入札結果の通知を行い、排出事業者２に落札したリサイクル処理業者（確定落札業者）３を通知する。
【００１２】
　また、仲介者１は、リサイクル処理業者３による買い取りの申込みが無く、排出事業者２が廃棄物処理でも良いとしている場合、排出事業者２からの廃棄物処理に関する情報（希望処理価格）を受け付け公開する。廃棄物処分業者４は、当該公開情報に基づいて仲介者１に廃棄物処理の請負を申し込む。仲介者１は、廃棄物処分業者４から排出事業者２の希望処理価格以下での処理の申込みがあった場合、一定期間後に入札を行い、入札後、廃棄物処分業者４に入札結果を通知し、排出事業者２に落札した廃棄物処分業者（確定落札業者）４を通知する。
【００１３】
　さらに、仲介者１は、落札業者となったリサイクル処理業者３または廃棄物処分業者４が、使用済み鉄管の運搬を収集運搬業者５に委託することを希望する場合、当該落札業者からの運搬に関する情報（発生場所、自己の事業所の所在地、希望運搬価格）を受け付け公開する。収集運搬業者５は、当該公開情報に基づいて仲介者１に運搬の請負を申し込む。仲介者１は、収集運搬業者５から落札業者の希望運搬価格以下での運搬の請負の申込みがあった場合、一定期間後に入札を行い、入札後、収集運搬業者５に入札結果を通知し、排出事業者２に落札した収集運搬業者（確定落札業者）５を通知する。
【００１４】
　次に、上記ビジネス方法を実現する仲介システムについて説明する。
　図２は、本発明に係る使用済み金属製品のリサイクル仲介システムの概略構成図である。
　インターネットサーバ（仲介者）１０、第１のクライアント（排出事業者）１１、第２のクライアント（リサイクル処理業者）１２、第３のクライアント（廃棄物処分業者）１３、第４のクライアント（収集運搬業者）１４は、通信ネットワーク、いわゆるインターネット１５に接続可能とされている。
【００１５】
　インターネットサーバ１０は、インターネット１５に通信インターフェース（Ｉ／Ｆ）２０を介して常時接続されたシステムサーバ２１を備えており、このシステムサーバ２１は、通常クライアント１１〜１４よりも処理能力の高いインターネットサーバコンピュータにより構成されている。システムサーバ２１は、ｅメールの送受信を管理するメールサーバ２２、第１のクライアント１１と第２〜第４のクライアント１２〜１４との間で取引を仲介するための取引ウェブサイト２３に接続される一方、データベースの検索エンジン２４を内蔵している。なお、メールサーバ２２、取引ウェブサイト２３を格納する記憶装置はシステムサーバ２１自体の構成により実現することも可能である。
【００１６】
　データベースの検索エンジン２４は、ソフトウェアから実現され、記憶装置に格納されている使用済み鉄管のデータベース２５、廃棄物処分業者のデータベース２６、収集運搬業者のデータベース２７にアクセスして、そのデータベース内を検索し、検索結果を引き出す機能を有している。
　使用済み鉄管のデータベース２５は、地域エリア別使用済み鉄管に関する蓄積情報で、図３に示すように第１のクライアント１１からの使用済み鉄管に関する情報を受け付け、使用済み鉄管の発生場所に基づいて地域全体を複数の地域エリア例えば、Ａ地域エリア、Ｂ地域エリア、Ｃ地域エリアに区分けし、各地域エリアに含まれる場所において発生した使用済み鉄管を有する複数の排出事業者２をまとめる。例えば、Ａ地域エリアには、Ａ―１、Ａ―２、Ａ―３の排出事業者２を、Ｂ地域エリアにはＢ―１、Ｂ―２、Ｂ―３の排出事業者２を、Ｃ地域エリアにはＣ―１、Ｃ―２、Ｃ―３の排出事業者２を振り分けてある。このように複数の排出事業者２を地区毎にまとめることで、リサイクル処理業者３、廃棄物処分業者４、収集運搬業者５の使用済み鉄管の回収効率を大幅に向上させることが可能となる。この情報は、第１のクライアント１１からの情報提供がある毎に更新され、常に地域エリア毎に分けた使用済み鉄管に関する累積情報（発生量の合計、希望販売価格の合計等）とされる。
【００１７】
　廃棄物処分業者４のデータベース２６は、廃棄物処分業者４に関する蓄積データで、その項目は、図４に示すように、廃棄物処分業者名、メールアドレス、住所、電話（TEL）番号、ファクシミリ（FAX）番号、事業範囲、取扱可能な産業廃棄物（産廃）の種類、資格（許可）の有効期限、資格（許可）の条件等の情報を蓄積している。収集運搬業者５のデータベース２７は、収集運搬業者５に関する蓄積データで、その項目は、図５に示すように、収集運搬業者名、メールアドレス、住所、電話（TEL）番号、ファクシミリ（FAX）番号、事業範囲、取扱可能な産業廃棄物（産廃）の種類、資格（許可）の有効期限、資格（許可）の条件等の情報を蓄積している。
【００１８】
　第１のクライアント１１は、パソコン端末で、設置型のコンピュータやモバイルコンピュータ（携帯電話を含む）等からなるクライアントシステム３０を備え、このクライアントシステム３０は、ブラウザ３１を内蔵し、通信インターフェース（Ｉ／Ｆ）３２を介してインターネット１５に接続可能となっている。ブラウザ３１は、インターネット１５に接続された種々のインターネットサーバ上のウェブページを閲覧し、かつ電子メール（ｅメール）の送受信を可能とするための閲覧ソフトである。
【００１９】
　第２のクライアント１２は、第１のクライアント１１と同様にパソコン端末で、設置型のコンピュータやモバイルコンピュータ（携帯電話を含む）等からなるクライアントシステム４０を備え、このクライアントシステム４０は、ブラウザ４１を内蔵し、通信インターフェース（Ｉ／Ｆ）４２を介してインターネット１５に接続可能となっている。ブラウザ４１は、インターネット１５に接続された種々のインターネットサーバ上のウェブページを閲覧し、かつ電子メール（ｅメール）の送受信を可能とするための閲覧ソフトである。
【００２０】
　第３のクライアント１３は、第２のクライアント１２と同様にパソコン端末で、設置型のコンピュータやモバイルコンピュータ（携帯電話を含む）等からなるクライアントシステム５０を備え、このクライアントシステム５０は、ブラウザ５１を内蔵し、通信インターフェース（Ｉ／Ｆ）５２を介してインターネット１５に接続可能となっている。
　第４のクライアント１４は、第２のクライアント１２と同様にパソコン端末で、設置型のコンピュータやモバイルコンピュータ（携帯電話を含む）等からなるクライアントシステム６０を備え、このクライアントシステム６０は、ブラウザ６１を内蔵し、通信インターフェース（Ｉ／Ｆ）６２を介してインターネット１５に接続可能となっている。
【００２１】
　次に、上記インターネットサーバ１０のシステムサーバ２１により実行される管理ルーチンを実施例により説明する。
（実施例１）
　インターネットサーバ１０（仲介者）と、第１のクライアント１１（排出事業者）と、第２のクライアント１２（リサイクル処理業者）との間における処理プロセスについて図６のフローチャートにより説明する。
【００２２】
　第１のクライアント１１は、発生した使用済み鉄管情報をパソコン端末から入力してインターネットサーバ１０に申し込む（送信する）（ステップＳ１）。この使用済み鉄管情報は、具体的には、(1)排出事業者名、(2)メールアドレス、(3)住所、(4)電話(TEL)番号、(5)ファクシミリ（FAX）番号、(6)発生場所、(7)発生日時、(8)発生量、(9)製品タイプ、(10)製品状況、(11)希望販売価格、(12)希望処理価格（廃棄物処理を希望する場合）である。
【００２３】
　インターネットサーバ１０のシステムサーバ２１は、図６に示すフローチャートを実行し、第１のクライアント１１からの使用済み鉄管情報を受け付け（受信し）、当該情報に基づいて、図３に示す地域エリア毎に分けた使用済み鉄管情報をサイト上で公開する。
　第２のクライアント１２は、インターネットサーバ１０のシステムサーバ２１によりサイト上に公開された使用済み鉄管情報を受信する。第２のクライアント１２は、回収効率を高めるために一回の回収作業で必要量を確保できるか否かを判断する。例えば、４トン積みトラックで回収する場合、１つの地域エリアまたは、近隣する複数の地域エリアを一巡することで満載量に近い量を確保（回収）できるかを判断し、確保できると判断したときに希望買取価格をインターネットサーバ１０のシステムサーバ２１に申し込み（送信し）（ステップＳ３）、システムサーバ２１は、第２のクライアント１２からの買い取り要望を受け付ける（受信する）（ステップＳ４）。
【００２４】
　インターネットサーバ１０のシステムサーバ２１は、第１のクライアント１１の希望販売価格以上での第２のクライアント１２からの買取り要望があった場合、一定期間経過した後に取引ウェブサイト２３に問い合わせて入札を行う（ステップＳ５）。インターネットサーバ１０のシステムサーバ２１は、入札後、第２のクライアント１２に入札結果を通知（ｅメールで送信）する（ステップＳ６）と共に、第１のクライアント１１に落札した第２のクライアント１２（確定リサイクル処理業者）の通知（ｅメールで送信）を行う（ステップＳ７）。
【００２５】
　以上の処理プロセスによれば、リサイクル処理業者は、地域エリア毎にまとめられた使用済み鉄管の発生量の情報を得ることができ、また、使用済み鉄管の発生量が、地域エリア毎にまとまればまとまるほど、リサイクル処理のコスト、回収のための運搬コストが削減されるため、リサイクル処理業者にとって買い取りやすくなる。
（実施例２）
　次に、インターネットサーバ１０（仲介者）と、第１のクライアント１１（排出事業者）と、第２のクライアント１２（リサイクル処理業者）、および第３のクライアント１３（廃棄物処分業者（許可を有していることが条件））との間における処理プロセスについて図７および図８のフローチャートにより説明する。
【００２６】
　第３のクライアント１３は、パソコン端末から会員登録申請のデータを入力してインターネットのサーバ１０に登録を申し込む（送信する）（ステップＳ１１）。この会員登録申請のデータは、具体的には、(1)廃棄物処分業者名、(2)メールアドレス、(3)住所、(4)電話（TEL）番号、(5)ファクシミリ（FAX）番号、(6)取扱可能な産業廃棄物（産廃）の種類、(7)許可の有効期限、(8)許可の条件である。インターネットサーバ１０のシステムサーバ２１は、第３のクライアント１３から申請されたデータに基づいて廃棄物処理に関する資格の有無を審査し（ステップＳ１２）、資格があると判定したときには廃棄物処分業者のデータベース２６に蓄積し（ステップＳ１３）、資格がないと判定したときには登録の申請を却下する（ステップＳ１４）。このように、事前に登録申請を受け付け、許可を有している者だけを登録することにより、廃棄物処理に関する許可を有していない業者の入札参加を事前に排除することができる。
【００２７】
　インターネットサーバ１０のシステムサーバ２１は、第１のクライアント１１からの使用済み鉄管に関する情報を受け付け（ステップＳ１５）、当該情報に基づいて、地域エリア毎に分けた使用済み鉄管情報をサイト上で公開する（ステップＳ１６）。具体的な内容は実施例１と同様であり、説明を省略する。
　インターネットサーバ１０のシステムサーバ２１は、図８に示すステップＳ１７において第１のクライアント１１から処理方法に関する要望があるか否かを判定する。この処理方法は、リサイクル処理または廃棄物処理である。インターネットサーバ１０のシステムサーバ２１は、ステップＳ１７において第１のクライアント１１の要望がりサイクル処理であり、かつ第２のクライアント１２から買い取り要望（リサイクル処理の申し込み）がある場合（ステップＳ１８）、当該買い取り要望を受け付ける（ステップＳ１９）。
【００２８】
　インターネットサーバ１０のシステムサーバ２１は、第１のクライアント１１の希望販売価格以上での第２のクライアント１２からの買取り要望があった場合、一定期間経過した後に取引ウェブサイト２３に問い合わせて入札を行う（ステップＳ２０）。インターネットサーバ１０のシステムサーバ２１は、入札後、第２のクライアント１２に入札結果を通知（ｅメールで送信）する（ステップＳ２１）と共に、第１のクライアント１１に落札した第２のクライアント１２（確定リサイクル処理業者）の通知（ｅメールで送信）を行う（ステップＳ２２）。
【００２９】
　インターネットサーバ１０のシステムサーバ２１は、第２のクライアント１２による買い取りの申込みが無く、第１のクライアント１１が廃棄物処理でも良いとしているときには廃棄物処理を実行し（ステップＳ１７）、廃棄物処理に関する情報をサイト上で公開する。
　第３のクライアント１３は、公開された廃棄物としての使用済み鉄管情報を受信し、種々の条件（発生量、発生場所、希望処理価格）に基づいて、処理価格をインターネットサーバ１０に申し込み（送信し）（ステップＳ２３）、インターネットサーバ１０のシステムサーバ２１は、第３のクライアント１３からの処理請負の申し込みを受け付ける（ステップＳ２４）。
【００３０】
　インターネットサーバ１０のシステムサーバ２１は、第１のクライアント１１の希望処理価格以下での第３のクライアント１３からの廃棄物処理請負の申し込みがあった場合、一定期間経過した後に取引ウェブサイト２３に問い合わせて入札を行う（ステップＳ２５）。インターネットサーバ１０のシステムサーバ２１は、入札後、第３のクライアント１３に入札結果を通知（ｅメールで送信）する（ステップＳ２６）と共に、第１のクライアント１１に落札した第３のクライアント１３（確定廃棄物処分業者）の通知（ｅメールで送信）を行う（ステップＳ２７）。
【００３１】
　以上の処理プロセスによれば、排出事業者は、発生した使用済み鉄管情報を入力するのみで、条件に合うリサイクル処理業者を見つけることができ、仮にリサイクル処理業者による買い取り要望が無い場合でも、条件に合う廃棄物処分業者を見つけることができる。
（実施例３）
　次に、インターネットサーバ１０（仲介者）と、第１のクライアント１１（排出事業者）と、第２のクライアント１２（リサイクル処理業者）、第３のクライアント１３（廃棄物処分業者（許可を受けていることが条件））、および第４のクライアント１４（収集運搬業者（許可を有していることが条件））との間における処理プロセスについて図９乃至図１１のフローチャートにより説明する。
【００３２】
　第３のクライアント１３は、実施例２の場合と同じくパソコン端末から会員登録申請のデータを入力してインターネットサーバ１０に登録を申し込み（送信する）（ステップＳ３１）、インターネットサーバ１０のシステムサーバ２１は、第３のクライアント１３から申請されたデータに基づいて廃棄物処理に関する資格の有無を審査し（ステップＳ３２）、資格があると判定したときには廃棄物処分業者のデータベース２６に蓄積し（ステップＳ３３）、資格がないと判定したときには登録の申請を却下する（ステップＳ３４）。
【００３３】
　第４のクライアント１４は、第３のクライアント１３と同じくパソコン端末から会員登録申請のデータを入力してインターネットサーバ１０に登録を申し込む（送信する）（ステップＳ３５）。この会員登録申請のデータは、具体的には、(1)収集運搬業者名、(2)メールアドレス、(3)住所、(4)電話（TEL）番号、(5)ファクシミリ（FAX）番号、(6)取扱可能な産業廃棄物（産廃）の種類、(7)許可の有効期限、(8)許可の条件である。インターネットサーバ１０のシステムサーバ２１は、第４のクライアント１４から申請されたデータに基づいて運搬に関する資格の有無を審査し（ステップＳ３６）、資格があると判定したときには収集運搬業者のデータベース２７に蓄積し（ステップＳ３７）、資格がないと判定したときには登録の申請を却下する（ステップＳ３８）。このように事前に登録申請を受け付け、許可を有している者だけを登録することにより、許可を有していない収集運搬業者の入札参加を事前に排除することができる。
【００３４】
　インターネットサーバ１０のシステムサーバ２１は、第１のクライアント１１からの使用済み鉄管情報を受け付け（ステップＳ３９）、当該情報に基づいて、地域エリア毎に分けた使用済み鉄管情報をサイト上で公開する（ステップＳ４０）。具体的な内容は実施例１と同様であり、説明を省略する。
　インターネットサーバ１０のシステムサーバ２１は、図１０に示すステップＳ４１において第１のクライアント１１から処理方法に関する要望があるか否かを判定する。この処理方法は、リサイクル処理または廃棄物処理である。インターネットサーバ１０のシステムサーバ２１は、ステップＳ４１において第１のクライアント１１の要望がリサイクル処理であり、かつ第２のクライアント１２からリサイクル処理の申し込み（買い取り要望）がある場合（ステップＳ４２）、当該買い取り要望を受け付ける（ステップＳ４３）。インターネットサーバ１０のシステムサーバ２１は、第１のクライアント１１の希望販売価格以上での第２のクライアント１２からの買取り要望があった場合、一定期間経過した後に取引ウェブサイト２３に問い合わせて入札を行う（ステップＳ４４）。インターネットサーバ１０のシステムサーバ２１は、入札後、第２のクライアント１２に入札結果を通知（ｅメールで送信）する（ステップＳ４５）と共に、第１のクライアント１１に落札した第２のクライアント１２（確定リサイクル処理業者）の通知（ｅメールで送信）を行う（ステップＳ４６）。
【００３５】
　インターネットサーバ１０のシステムサーバ２１は、第２のクライアント１２による買い取りの申込みが無く、第１のクライアント１１が廃棄物処理でもよいとしているときには廃棄物処理を実行し（ステップＳ４１）、廃棄物処理に関する情報をサイト上で公開する。第３のクライアント１３は、公開された廃棄物としての使用済み鉄管情報を受信し、種々の条件（発生量、発生場所、希望処理価格）に基づいて、処理価格をインターネットサーバ１０に申し込み（ステップＳ４７）、インターネットサーバ１０のシステムサーバ２１は、第３のクライアント１３からの処理請負の申し込みを受け付ける（受信する）（ステップＳ４８）。
【００３６】
　インターネットサーバ１０のシステムサーバ２１は、第１のクライアント１１の希望処理価格以下での第３のクライアント１３からの廃棄物処理請負の申し込みがあった場合、一定期間経過した後に取引ウェブサイト２３に問い合わせて入札を行う（ステップＳ４９）。インターネットサーバ１０のシステムサーバ２１は、入札後、第３のクライアント１３に入札結果を通知（ｅメールで送信）する（ステップＳ５０）と共に、第１のクライアント１１に落札した第３のクライアント１３（確定廃棄物処分業者）の通知（ｅメールで送信）を行う（ステップＳ５１）。
【００３７】
　インターネットサーバ１０のシステムサーバ２１は、第２のクライアント１２または第３のクライアント１３が第４のクライアント１４への運搬の委託を要望しているか否かを判別し（図１１のステップＳ５２）、第２のクライアント１２または第３のクライアント１３が自ら運搬する場合はステップＳ５３に進む。インターネットサーバ１０のシステムサーバ２１は、落札業者となった第２のクライアント１２または第３のクライアント１３が、使用済み鉄管の運搬を収集運搬業者に委託することを希望する場合、当該落札業者からの運搬に関する情報をサイト上で公開する。運搬に関する情報は、使用済み鉄管の発生場所、発生量、第２のクライアント１２または第３のクライアント１３の事業所の所在地、希望運搬価格等である。
【００３８】
　第４のクライアント１４は、公開された運搬に関する情報を得、運搬価格をインターネットサーバ１０に申し込み（送信し）（ステップＳ５４）、インターネットサーバ１０のシステムサーバ２１は、第４のクライアント１４からの運搬の申し込みを受け付ける（ステップＳ５５）。インターネットサーバ１０のシステムサーバ２１は、第２クライアント１２または第３のクライアント１３の希望運搬価格以下での第４のクライアント１４からの運搬請負の申し込みがあった場合、一定期間経過した後に取引ウェブサイト２３に問い合わせて入札を行う（ステップＳ５６）。インターネットサーバ１０のシステムサーバ２１は、入札後、第４のクライアント１４に入札結果を通知（ｅメールで送信）する（ステップＳ５７）と共に、第２のクライアント１２または第３のクライアント１３に落札した第４のクライアント１４（確定収集運搬業者）の通知（ｅメールで送信）を行う（ステップＳ５８）。
【００３９】
　以上の処理プロセスによれば、排出事業者は、発生した使用済み鉄管に関する情報を入力するのみで、条件に合うリサイクル処理業者を見つけることができ、仮にリサイクル処理業者による買い取り要望が無い場合でも、条件に合う廃棄物処分業者を見つけることができる。
　また、落札業者となったリサイクル処理業者または廃棄物処分業者は、使用済み鉄管の発生場所から自己の処理施設までの運搬を、運搬コスト等との兼ね合いから収集運搬業者に委託した方が得策であると判断した場合、運搬に関する情報を入力するのみで、条件に合う収集運搬業者を見つけることができる。
【００４０】
　次に、落札業者決定後の物（使用済み鉄管）の流れについて説明する。
　（１）リサイクル処理業者が排出事業者から使用済み鉄管を買い取る場合
　図１２（ａ）に示すように排出事業者における使用済み鉄管の発生場所（ステップＳ６０）からリサイクル処理業者自身が、または収集運搬業者が使用済み鉄管を回収して（ステップＳ６１）、リサイクル処理業者が指定する保管場所または処理施設まで運搬する（ステップＳ６２）。
【００４１】
　（２）廃棄物処分業者が処理する場合
　図１２（ｂ）に示すように排出事業者における使用済み鉄管の発生場所（ステップＳ６３）から廃棄物処分業者自身が、または収集運搬業者が使用済み鉄管を回収して（ステップＳ６４）、廃棄物処分業者が指定する保管場所または処理施設まで運搬する（ステップＳ６５）。
【００４２】
　次に、落札業者決定後のお金の流れについて説明する。
　（１）リサイクル処理業者が買い取る場合
　(i)買い取りに関する料金
　図１３（ａ）に示すようにリサイクル処理業者３が仲介者１にクレジットカードにより買い取り価格の料金を決済し、仲介者１は、リサイクル処理業者３から支払われた買い取り価格から所定の仲介手数料を差し引いた額の料金を排出事業者２に支払う。
【００４３】
　(ii)運搬に関する料金（リサイクル処理業者が収集運搬業者に委託する場合）
　図１３（ｂ）に示すようにリサイクル処理業者３が仲介者１にクレジットカードにより運搬費を決済し、仲介者１は、リサイクル処理業者３から支払われた運搬費から所定の仲介手数料を差し引いた額の運搬費を収集運搬業者５に支払う。
　（２）廃棄物処分業者が処理する場合
　(i)廃棄物処理に関する料金
　図１３（ｃ）に示すように排出事業者２が仲介者１にクレジットカードにより廃棄物処理価格の料金を決済し、仲介者１は、排出事業者２から支払われた廃棄物処理価格から所定の仲介手数料を差し引いた額の料金を廃棄物処分業者４に支払う。
【００４４】
　(ii)運搬に関する料金（収集運搬業者に委託する場合）
　図１３（ｄ）に示すように廃棄物処分業者４が仲介者１にクレジットカードにより運搬費を決済し、仲介者１は、廃棄物処分業者４から支払われた運搬費から所定の仲介手数料を差し引いた額の運搬費を収集運搬業者５に支払う。
【図面の簡単な説明】
【００４５】
【図１】本発明に係る使用済み金属製品のリサイクル仲介システムのビジネス方法の説明図である。
【図２】本発明に係る使用済み金属製品のリサイクル仲介システムを実行するシステムの概略構成図である。
【図３】図２に示す使用済み鉄管のデータベースに蓄積する蓄積情報の説明図である。
【図４】図２に示す廃棄物処分業者のデータベースに蓄積する蓄積データ項目の説明図である。
【図５】図２に示す収集運搬業者のデータベースに蓄積する蓄積データ項目の説明図である。
【図６】図２に示すシステムの処理プロセスの実施例１のフローチャートである。
【図７】図２に示すシステムの処理プロセスの実施例２のフローチャートの一部である。
【図８】図７に示すフローチャートの残部である。
【図９】図２に示すシステムの処理プロセスの実施例３のフローチャートの一部である。
【図１０】図９に示すフローチャートに続くフローチャートの一部である。
【図１１】図１０に示すフローチャートの残部である。
【図１２】図１に示す落札業者決定後の物の流れの説明図である。
【図１３】図１に示す落札業者決定後のお金の流れの説明図である。
【符号の説明】
【００４６】
　１　仲介者
　２　排出事業者
　３　リサイクル処理業者
　４　廃棄物処分業者
　５　収集運搬業者
　１０　インターネットサーバ（仲介者）
　１１　第１のクライアント（排出事業者）
　１２　第２のクライアント（リサイクル処理業者）
　１３　第３のクライアント（廃棄物処分業者）
　１４　第４のクライアント（収集運搬業者）
　１５　インターネット
　２１　システムサーバ
　２４　データベースの検索エンジン
　２５　使用済み鉄管のデータベース
　２６　廃棄物処分業者のデータベース
　２７　収集運搬業者のデータベース
【図１】
2004139610.tif 000003
【図２】
2004139610.tif 000004
【図３】
2004139610.tif 000005
【図４】
2004139610.tif 000006
【図５】
2004139610.tif 000007
【図６】
2004139610.tif 000008
【図７】
2004139610.tif 000009
【図８】
2004139610.tif 000010
【図９】
2004139610.tif 000011
【図１０】
2004139610.tif 000012
【図１１】
2004139610.tif 000013
【図１２】
2004139610.tif 000014
【図１３】
2004139610.tif 000015